(57)【要約】【課題】圧接端子に圧接された電線が、該電線及び該圧接端子を収容するコネクタハウジングの収容溝から浮き上がることを防止する。【解決手段】積層されることにより配線盤を構成する積層型プレートコネクタ１は、電線４と圧接される圧接端子と、この圧接端子を取り付けるとともに電線４を収容する収容溝６２が設けられたコネクタハウジング６０と、収容溝６２に着脱自在でかつ収容溝６２の所望の位置に取り付け可能な電線押さえ部材２と、を有している。この電線押さえ部材２は、収容溝６２内に圧入されて電線４を収容溝６２の内面との間に挟むことにより、電線４が収容溝６２から浮き上がることを防止する。【選択図】図６
2007220515.tif 000002
【特許請求の範囲】
【請求項１】
電線と圧接される圧接端子と、前記圧接端子を取り付けるとともに前記電線を収容する収容溝が設けられたコネクタハウジングと、を有するコネクタにおいて、
前記収容溝内に圧入されて前記コネクタハウジングに固定され、かつ、前記電線を前記収容溝の内面との間に挟むことにより前記電線が前記収容溝から浮き上がることを防止する電線押さえ部材を有したことを特徴とするコネクタ。
【請求項２】
前記収容溝の内面に、前記圧接端子の係止爪が係止可能な被係止部が設けられているとともに、
前記電線押さえ部材が、前記被係止部に係止可能な係止突起を有したことを特徴とする請求項１に記載のコネクタ。
【請求項３】
前記電線押さえ部材が、
前記電線を前記収容溝の内面との間に挟んだ状態で前記電線を前記収容溝の幅方向に位置決めする電線位置決め部と、
該電線押さえ部材を前記収容溝の長手方向に位置決めする第２位置決め部と、を有したことを特徴とする請求項１または請求項２に記載のコネクタ。
【請求項４】
請求項１ないし請求項３のうちいずれか１項に記載のコネクタが複数積層されて構成されることを特徴とする配線盤。
【発明の詳細な説明】
【技術分野】
【０００１】
本発明は、圧接端子をプレート状のコネクタハウジングに取り付けたプレート状のコネクタ、及び該プレート状のコネクタが複数枚積層されて構成される配線盤に関する。
【背景技術】
【０００２】
自動車などに装備されるワイヤハーネスは、電子機器の機能毎などに分けられた複数のサブハーネスとして一旦構成され、これらのサブハーネスを互いに組み付けて得られるようになっている。このため、前記サブハーネス間の電線相互の接続が煩雑となり、組立時の作業性が悪化する傾向となり最悪の場合には品質が安定しない恐れも生じてきた。
【０００３】
このため、前述した電線相互の接続を容易とするために、圧接端子と、この圧接端子が装着されるプレート状のコネクタハウジングと、を有したプレート状のコネクタを複数枚積層して得られる配線盤が提案されている。
【０００４】
上記プレート状のコネクタハウジングは、平板状の底壁と、この底壁から立設した複数の隔壁と、を有している。複数の隔壁は、互いに平行でかつ互いに等間隔に配されている。これら複数の隔壁のうち隣り合う隔壁間は、電線を収容する収容溝をなしている。
【０００５】
上記圧接端子は、電線と接続する電線接続部と、この電線接続部に連なりかつ筒状の電気接触部と、を有している。電線接続部は、電線と圧接しかつ互いに相対する対の圧接刃を有している。圧接端子は、電線接続部と電気接触部とが、平面形状がＬ字状となるように配置されている。圧接端子は、前記コネクタハウジングの底壁上に載置される。
【０００６】
また、上記コネクタハウジングは、上記圧接端子を、収容溝の長手方向とこれらの収容溝が互いに並設する方向との二方向に沿って前記底壁上の所望の位置に並べる。即ち、上記コネクタハウジングは、圧接端子を、底壁上に二次元のマトリックス状に配置する。このように圧接端子がコネクタハウジングに配置されたプレート状のコネクタを複数枚積層し、互いに重なる電気接触部のうち所望の電気接触部内に導電性の接続バーを挿入して、上記配線盤が得られる。
【０００７】
このように、前記配線盤は、電線と圧接する圧接端子をプレート状のコネクタハウジングの底壁の所望の位置に配したコネクタを複数枚積層し、かつ所望の電気接触部内に接続バーを挿入することによって、前記電線などを予め定められるパターンにしたがって、相互に接続する。
【特許文献１】特開２００２−１００４３５号公報
【発明の開示】
【発明が解決しようとする課題】
【０００８】
しかしながら、上述した構成の配線盤は、前記収容溝内に収容される電線の寸法が長くなると、該電線の前記圧接端子から離れた部分が前記収容溝から浮き上がる状態が生じ易かった。電線が浮き上がると、複数の前記コネクタを積層する際にこの浮き上がった電線を噛み込む（収容溝から外れた電線を重なり合うコネクタハウジング間に挟んでしまう）虞があるという問題があった。また、電線が浮き上がると、即ち電線が収容溝内で動くと、圧接端子の圧接刃とこの圧接刃に圧接された電線の芯線との接触部分がずれてこの電線と圧接端子との接続信頼性が低下してしまうという問題があった。
【０００９】
したがって、本発明は、圧接端子に圧接された電線が、該電線及び該圧接端子を収容するコネクタハウジングの収容溝から浮き上がることを防止するコネクタ、及び該コネクタが積層されて構成される配線盤を提供することを目的とする。
【課題を解決するための手段】
【００１０】
前記課題を解決し目的を達成するために、請求項１に記載された発明は、電線と圧接される圧接端子と、前記圧接端子を取り付けるとともに前記電線を収容する収容溝が設けられたコネクタハウジングと、を有するコネクタにおいて、前記収容溝内に圧入されて前記コネクタハウジングに固定され、かつ、前記電線を前記収容溝の内面との間に挟むことにより前記電線が前記収容溝から浮き上がることを防止する電線押さえ部材を有したことを特徴とするコネクタである。
【００１１】
請求項２に記載された発明は、請求項１に記載された発明において、前記収容溝の内面に、前記圧接端子の係止爪が係止可能な被係止部が設けられているとともに、前記電線押さえ部材が、前記被係止部に係止可能な係止突起を有したことを特徴とするものである。
。
【００１２】
請求項３に記載された発明は、請求項１または請求項２に記載された発明において、前記電線押さえ部材が、前記電線を前記収容溝の内面との間に挟んだ状態で前記電線を前記収容溝の幅方向に位置決めする電線位置決め部と、該電線押さえ部材を前記収容溝の長手方向に位置決めする第２位置決め部と、を有したことを特徴とするものである。
【００１３】
請求項４に記載された発明は、請求項１ないし請求項３のうちいずれか１項に記載のコネクタが複数積層されて構成されることを特徴とする配線盤である。
【発明の効果】
【００１４】
請求項１に記載された発明によれば、収容溝の所望の位置に電線押さえ部材を圧入して電線を押さえ、この電線が収容溝から浮き上がることを防止できる。また、同時に、電線が収容溝内を移動することが防止できるので、この電線とこの電線を圧接する圧接端子との接続信頼性を確保することができる。
【００１５】
請求項２に記載された発明によれば、電線押さえ部材の係止突起は、圧接端子の係止爪を係止させるための被係止部に係止させることができるので、収容溝内の圧接端子を取り付け可能な全ての位置に電線押さえ部材を取り付けることができる。よって、電線が浮き上がる虞のある部位にのみこの電線押さえ部材を使用することができ、コネクタを軽量化できる。また、電線押さえ部材専用の係止構造をコネクタハウジング側に設ける必要がないので、コネクタを簡素化・小型化することができる。
【００１６】
請求項３に記載された発明によれば、電線押さえ部材が電線位置決め部を有したことにより、電線が収容溝内をその幅方向に沿って移動することが防止できるので、この電線とこの電線を圧接する圧接端子との接続信頼性を確保することができる。また、電線押さえ部材が第２位置決め部を有したことにより、電線押さえ部材が収容溝の長手方向に沿って位置ずれすることが防止できる。
【００１７】
請求項４に記載された発明によれば、積層されるそれぞれのコネクタが電線押さえ部材の装着により電線の浮き上がりを防止できるので、これらのコネクタを積層する際に電線を噛み込むことを防止できる。よって、配線盤の組み立て作業性を向上させることができる。
【発明を実施するための最良の形態】
【００１８】
以下、本発明の一実施形態に係るコネクタとしての積層型プレートコネクタ１及び配線盤１０を、図１ないし図６を参照して説明する。図１は、本発明の一実施の形態に係るコネクタ及び該コネクタにより構成される配線盤を示す斜視図である。図２は、図１に示されたコネクタの平面図である。図３は、図１に示されたコネクタを構成する圧接端子を示す斜視図である。図４は、図２中のＡ−Ａ線に沿う断面図である。図５は、図１に示されたコネクタを構成する電線押さえ部材を示す斜視図である。図６は、図２中のＢ−Ｂ線に沿う断面図である。
【００１９】
図１に示す本発明の一実施形態に係るコネクタとしての積層型プレートコネクタ（以下、プレートコネクタと呼ぶ。）１は、図２などに示す圧接端子としてのＪＢ（Junction Block）用圧接端子５０と、ＪＢ用圧接端子５０を装着するプレート状のコネクタハウジング６０と、電線押さえ部材２を有しているとともに、複数枚積層されることで配線盤１０を構成する。
【００２０】
ＪＢ用圧接端子５０は、導電性の板金などを折り曲げるなどして形成されている。ＪＢ用圧接端子５０は、図３などに示すように、電線４が接続される電線接続部５１と、電気接触部５２と、複数の係止爪５３と、を有している。電線接続部５１は、電線４が載置される平坦な載置壁５４と、一対の側壁５５と、かしめ片５６と、圧接部５７と、を有している。
【００２１】
上記載置壁５４は、帯板状に形成されている。上記一対の側壁５５は、それぞれ帯板状に形成されかつ、幅方向に沿って間隔を存する載置壁５４の両縁から立設している。上記かしめ片５６は、載置壁５４に連なっている。かしめ片５６は、載置壁５４に被さるように曲げられることにより、載置壁５４との間に電線４を挟んで保持する。即ち、かしめ片５６は、電線４を載置壁５４にかしめる。
【００２２】
上記圧接部５７は、互いに対向する二対の圧接刃５７ａ，５７ｂを有している。圧接刃５７ａ，５７ｂは、載置壁５４に立設している。圧接刃５７ａ，５７ｂは、側壁５５の内面からこれら一対の側壁５５が互いに近づく方向に突出している。
【００２３】
上記圧接刃５７ａ，５７ｂは、互いの間に電線４を圧入することにより、電線４の被覆部５（図３に示す。）を切り込んで芯線６（図３に示す。）に接触して、前記電線４と電気的に接続する。即ち、電線４と圧接する。なお、圧接刃５７ａ，５７ｂ間には、図３に示す矢印Ｓに沿って電線４が圧入される。
【００２４】
上記電気接触部５２は、載置壁５４の幅方向の一方の縁に連なっている。即ち、電気接触部５２は、電線接続部５１と連なっている。電気接触部５２と電線接続部５１とは、ＪＢ用圧接端子５０の平面形状がＬ字状となる位置に配されている。電気接触部５２は、電線接続部５１に対し、載置壁５４に載置される電線４の長手方向から屈曲した位置に配されている。
【００２５】
また、上記電気接触部５２は、角筒状に形成されている。電気接触部５２は、その筒孔がコネクタハウジング６０の後述の連通孔７０に連通するように配される。電気接触部５２の筒孔内には、挿入子としての接続バー８０（図１に示す。）が挿入される。この接続バー８０は、導電性の金属などからなりかつ帯板状に形成されている。電気接触部５２の筒孔内には、接続ばね片５８が設けられている。接続ばね片５８は、接続バー８０と電気接触部５２とを電気的に接続する。
【００２６】
このように電気接触部５２は、コネクタハウジング６０が互いに積層された際に、筒孔内に接続バー８０が挿入されることによって、互いに重なるＪＢ用圧接端子５０同士を電気的に接続する。こうして、電気接触部５２は、他のＪＢ用圧接端子５０と接続する。
【００２７】
上記係止爪５３は、側壁５５の一部が切りかかれて形成されている。係止爪５３は、電気接触部５２寄りの側壁５５に一つ設けられかつ電気接触部５２から離れた側壁５５に二つ設けられている。この係止爪５３は、一端部が側壁５５に連なり、かつ他端部が側壁５５から離れているとともに、前記他端部が側壁５５の外面から外方向に突出している。また、係止爪５３は、一端部から他端部に向かうにしたがって徐々に外面から離れるように、前記圧接部５７に電線４が圧接される方向Ｓに対し傾斜している。即ち、係止爪５３は、ＪＢ用圧接端子５０がコネクタハウジング６０に装着された際に、後述する底壁６５から離れるのにしたがって、互いの間隔が徐々に広がるように、ＪＢ用圧接端子５０のコネクタハウジング６０への装着方向Ｓに対し傾斜している。また、係止爪５３は、他端部が前記外面から接離するように弾性変形自在となっており、後述する隔壁６８の凸部６８ａに係止可能である。
【００２８】
このような構成のＪＢ用圧接端子５０は、電線接続部５１がコネクタハウジング６０の後述する収容溝６２の溝本体６３内に収容され、かつ電気接触部５２が収容溝６２の後述する収容部６４内に収容される。ＪＢ用圧接端子５０は、溝本体６３及び収容部６４内に圧入されることで、コネクタハウジング６０に収容される（又は保持されるともいい、又は装着されるともいう。）。
【００２９】
上記コネクタハウジング６０は、絶縁性の合成樹脂からなり、プレート状即ち平板状に形成されている。コネクタハウジング６０は、図１及び図２に示すように、矩形状のプレート本体６１と、複数の収容溝６２と、連通孔７０と、を有している。
【００３０】
上記プレート本体６１は、ほぼ平坦な壁としての底壁６５と、奥壁６６と、一対の側壁６７と、底壁６５から立設した複数の隔壁６８と、を有している。
【００３１】
上記奥壁６６は、底壁６５の図１中奥側に位置する一つの縁部に連なっている。奥壁６６は、底壁６５に立設している。一対の側壁６７は、底壁６５の互いに相対する一対の縁部と前記奥壁６６とに連なっている。一対の側壁６７は、底壁６５に立設している。一対の側壁６７は、互いに平行である。
【００３２】
上記隔壁６８は、互いに平行でかつ間隔を存している。隔壁６８は、それぞれ一対の側壁６７と平行である。隔壁６８は、それぞれプレート本体６１の長手方向に沿っている。互いに隣り合う一対の隔壁６８と底壁６５とで囲まれる部分は、収容溝６２をなしている。収容溝６２は、図２に示すように、溝本体６３と、収容部６４とを有している。溝本体６３は、隣り合う隔壁６８の内面６９と、底壁６５の表面とで、形成されている。溝本体６３は、前記側壁６７及び隔壁６８に沿って延在している。溝本体６３は、ＪＢ用圧接端子５０の電線接続部５１を収容する。
【００３３】
上記収容部６４は、隣り合う一対の隔壁６８の間隔を拡げるように、前記隔壁６８から凹に形成されている。収容部６４は、一つの収容溝６２を形成する隣り合う一対の隔壁６８それぞれに設けられている。収容部６４は、溝本体６３の長手方向に沿って、一方の隔壁６８と他方の隔壁６８とに、交互に設けられている。収容部６４は、ＪＢ用圧接端子５０の電気接触部５２を収容する。
【００３４】
このように、前記コネクタハウジング６０は、ＪＢ用圧接端子５０を、前記収容溝６２の溝本体６３の長手方向と、これらの収容溝６２が並設する方向と、の二方向に沿って前記底壁６５上に並べる。即ち、前記コネクタハウジング６０は、ＪＢ用圧接端子５０を、底壁６５上に二次元のマトリックス状に配置する。
【００３５】
上記連通孔７０は、収容部６４に一つずつ設けられている。連通孔７０は、それぞれプレート本体６１の底壁６５を貫通している。
【００３６】
また、上記収容溝６２を形成する互いに隣り合う一対の隔壁６８には、図４に示すように、被係止部としての凸部６８ａが設けられている。凸部６８ａは、内面６９から、溝本体６３の内側に向かって突出している。即ち、凸部６８ａは、内面６９から、隔壁６８が互いに近づく方向に突出している。凸部６８ａは、底壁６５から離れた隔壁６８の縁部に設けられている。凸部６８ａは、溝本体６３の長手方向に沿って、隣り合う収容部６４間に設けられている。上述したＪＢ用圧接端子５０の係止爪５３は、凸部６８ａに当接するとともに凸部６８ａと底壁６５との間に位置付けられる。即ち凸部６８ａに係止する。
【００３７】
また、前記コネクタハウジング６０は、係止突起６０ａと図示しない係止受け突起とをそれぞれ複数有している。これらの係止突起６０ａ及び係止受け突起は、重なり合う他のコネクタハウジング６０に設けられた係止受け突起及び係止突起６０ａと互いに係止する。そして、前述した配線盤１０を構成する際に、これらの係止突起６０ａと係止受け突起とが互いに係止して、複数のコネクタハウジング６０即ち複数の積層型プレートコネクタ１が互いに固定する。
【００３８】
上記電線押さえ部材２は、絶縁性の合成樹脂により形成されている。電線押さえ部材２は、コネクタハウジング６０と別体で形成されるとともに、収容溝６２に着脱自在に設けられている。この電線押さえ部材２は、図５に示すように、本体部２１と、電線位置決め部２２と、係止突起２３と、第２位置決め部としての位置決め突部２４と、を有している。
【００３９】
上記本体部２１は、略矩形に形成されているとともに、溝本体６３内に位置付けられる。また、この本体部２１は、図６に示すように、溝本体６３内に位置付けられた状態で底壁６５の表面との間に電線４を挟む。このことにより、電線４が溝本体６３から浮き上がることを防止する。
【００４０】
上記電線位置決め部２２は、本体部２１の底壁６５寄りの端部に連なりかつ底壁６５に向かって立設している。またこの電線位置決め部２２は、本体部２１の底壁６５寄りの端部のうち、本体部２１の幅方向の中央から幅方向の端部に渡る部分から立設している。この電線位置決め部２２は、図６に示すように、溝本体６３内に位置付けられた状態で隔壁６８との間に電線４を位置決めする。このことにより、電線４が溝本体６３内でその幅方向に沿って移動することを防止する。
【００４１】
上記係止突起２３は、本体部２１の隔壁６８と相対する外表面から隔壁６８の内面６９に向かって突出している。また、この係止突起２３は、本体部２１の隔壁６８と相対する２つの外表面うち、１つの外表面に２つずつ設けられている。これらの係止突起２３は、本体部２１が溝本体６３内に位置付けられた状態で、上述したＪＢ用圧接端子５０の係止爪５３と同様に、凸部６８ａに当接するとともに凸部６８ａと底壁６５との間に位置付けられる。即ち凸部６８ａに係止する。
【００４２】
位置決め突部２４は、本体部２１の隔壁６８と相対する一つの外表面に連なりかつ本体部２１の幅方向に沿って延びている。この位置決め突部２４は、本体部２１が溝本体６３内に位置付けられた状態で、収容部６４内に位置付けられる。このことにより、本体部２１が溝本体６３内をその長手方向に沿って移動する（ずれる）ことを防止する。
【００４３】
なお、図５中に示す２５は、電線押さえ部材２がコネクタハウジング６０に装着された状態の積層型プレートコネクタ１が複数積層される際に、重ねられる他のコネクタハウジング６０に形成された図示しない突出部分と合致するための段差である。積層型プレートコネクタ１が重ねられない場合はこの段差２５は設けられていなくても良い。
【００４４】
このような構成の電線押さえ部材２は、本体部２１を溝本体６３に相対させるとともに位置決め突部２４を収容部６４に相対させ、かつ、底壁６５に向かって収容溝６２内に挿入することで収容溝６２内に取り付けられる。また、係止突起２３が一対の凸部６８ａ，６８ａ間を通される際にこの凸部６８ａと電線押さえ部材２とが当たって弾性変形することにより電線押さえ部材２が収容溝６２内に圧入される。また、電線押さえ部材２は、ＪＢ用圧接端子５０の係止爪５３が係止可能な凸部６８ａに係止可能であるので、収容溝６２のうちＪＢ用圧接端子５０が取り付け可能ないずれの位置にも取り付けることが可能である。
【００４５】
上記配線盤１０を組み立てる際には、まず、コネクタハウジング６０の溝本体６３及び収容部６４にＪＢ用圧接端子５０を装着する。次に、このＪＢ用圧接端子５０に電線４を圧接する。そして、収容溝６２のＪＢ用圧接端子５０から離れた部位でかつ電線４が収容溝６２から浮き上がる虞のある部位には、電線押さえ部材２を取り付ける。そして、このように電線４が取り付けられた状態の複数の積層型プレートコネクタ１を積層する。この状態で、重なり合う複数の積層型プレートコネクタ１のコネクタハウジング６０は、係止突起６０ａと係止受け突起とが係止して、互いに固定される。さらに複数の積層型プレートコネクタ１が積層された状態で所定の連通孔７０及び電気接触部５２内に接続バー８０が挿入されて、図１に示す配線盤１０が組み立てられる。
【００４６】
このような配線盤１０は、ＪＢ用圧接端子５０を配置する位置及び接続バー８０を挿入する位置を選択することによって、ＪＢ用圧接端子５０に圧接される電線４を、予め定められたパターンにしたがって接続する。また、この配線盤１０は、例えばリレー、ヒューズなどを装着する電気接続箱内に収容されて、電線４と前述したリレーやヒューズなどとを、予め定められたパターンにしたがって接続する。
【００４７】
本実施形態によれば、積層されるそれぞれの積層型プレートコネクタ１に電線押さえ部材２が装着されることにより、電線４の溝本体６３からの浮き上がりを防止できるので、これらの積層型プレートコネクタ１を積層する際に電線４を噛み込むことを防止できる。よって、配線盤１０の組み立て作業性を向上させることができる。また、電線押さえ部材２の装着により、電線４が溝本体６３内をその幅方向及び深さ方向に移動することが防止できるので、この電線４とＪＢ用圧接端子５０との接続信頼性を確保することができる。
【００４８】
また、電線押さえ部材２の係止突起２３は、ＪＢ用圧接端子５０の係止爪５３を係止させるための凸部６８ａに係止させることができるので、収容溝６２内のＪＢ用圧接端子５０を取り付け可能な全ての位置に電線押さえ部材２を取り付けることができる。よって、電線４が浮き上がる虞のある部位にのみこの電線押さえ部材２を使用することができ、積層型プレートコネクタ１及び配線盤１０を軽量化できる。また、電線押さえ部材２専用の係止構造をコネクタハウジング６０側に設ける必要がないので、積層型プレートコネクタ１及び配線盤１０を簡素化・小型化することができる。
【００４９】
上述した実施形態では、積層型プレートコネクタ１は、他の積層型プレートコネクタ１と積層されて配線盤１０を構成するコネクタであったが、本発明では、コネクタは、積層されずに単体で使用されるコネクタであっても良い。即ち、電線を圧接する圧接端子と収容溝とを有するコネクタであれば良い。
【００５０】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５１】
【図１】本発明の一実施の形態に係るコネクタ及び該コネクタにより構成される配線盤を示す斜視図である。
【図２】図１に示されたコネクタの平面図である。
【図３】図１に示されたコネクタを構成する圧接端子を示す斜視図である。
【図４】図２中のＡ−Ａ線に沿う断面図である。
【図５】図１に示されたコネクタを構成する電線押さえ部材を示す斜視図である。
【図６】図２中のＢ−Ｂ線に沿う断面図である。
【符号の説明】
【００５２】
１  積層型プレートコネクタ（コネクタ）
２  電線押さえ部材
４  電線
１０  配線盤
２２  電線位置決め部
２３  係止突起
２４  位置決め突部（第２位置決め部）
５０  ＪＢ用圧接端子（圧接端子）
５３  係止爪
６２  収容溝
６０  コネクタハウジング
６８ａ  凸部（被係止部）
【図１】
2007220515.tif 000003
【図２】
2007220515.tif 000004
【図３】
2007220515.tif 000005
【図４】
2007220515.tif 000006
【図５】
2007220515.tif 000007
【図６】
2007220515.tif 000008